(57)【要約】【課題】設置用取付部を備えた保持枠の構造を改善することにより、保持枠を設置した際の保持枠の歪みを回避することで、表示ムラの発生を防止する。【解決手段】本発明の電気光学装置１０′は、電気光学パネル１１と、該電気光学パネルを保持する保持枠１２，１３，１４とを具備し、該保持枠１３には該保持枠の少なくとも一つの面１３ｓの端辺１３ｔから突出した設置用取付部１３ｄ′が設けられ、前記一つの面１３ｓにおける前記設置用取付部１３ｄ′に隣接する領域１３ｓｘと前記一つの面における他の領域１３ｓｙとの間に、前記一つの面１３ｓｘの前記端辺１３ｔから前記一つの面の内側に向かって切り込み１３ｓｓが形成され、前記設置用取付部１３ｄ′及び前記設置用取付部に隣接する領域１３ｓｘと前記他の領域１３ｓｙとが前記切り込み１３ｓｓを介して前記設置用取付部の幅方向に分離されていることを特徴とする。【選択図】図１
2009294346.tif 000002
【特許請求の範囲】
【請求項１】
電気光学パネルと、
該電気光学パネルを保持する保持枠とを具備し、
該保持枠には該保持枠の少なくとも一つの面の端辺から突出した設置用取付部が設けられ、
前記一つの面における前記設置用取付部に隣接する領域と前記一つの面における他の領域との間に、前記一つの面の前記端辺から前記一つの面の内側に向かって切り込みが形成され、前記設置用取付部及び前記設置用取付部に隣接する領域と前記他の領域とが前記切り込みを介して前記設置用取付部の幅方向に分離されていることを特徴とする電気光学装置。
【請求項２】
前記設置用取付部の幅方向両側に前記切り込みが一対設けられることを特徴とする請求項１に記載の電気光学装置。
【請求項３】
前記切り込みは、前記端辺から前記設置用取付部の幅方向と交差する方向に伸びることを特徴とする請求項１又は２に記載の電気光学装置。
【請求項４】
前記切り込みは、前記交差する方向に伸びた後に前記幅方向内側に屈折若しくは湾曲することを特徴とする請求項３に記載の電気光学装置。
【請求項５】
前記保持枠は一体の板状材で構成され、前記設置用取付部は前記一つの面から屈折して突出することを特徴とする請求項１又は２に記載の電気光学装置。
【請求項６】
前記一つの面と前記設置用取付部の境界部分には補強変形部が設けられることを特徴とする請求項５に記載の電気光学装置。
【請求項７】
前記一つの面が前記枠部本体の前記電気光学パネルの厚み方向に伸びる側面であり、
前記設置用取付部は前記側面の端辺から屈折して平面方向外側に突出し、
前記切り込みは前記端辺から前記側面の内側へ前記厚み方向に伸びることを特徴とする請求項１乃至４のいずれか一項に記載の電気光学装置。
【請求項８】
前記保持枠は複数の角部を有し、前記設置用取付部及び前記切り込みは、前記複数の角部のうちいずれか一つの前記角部寄りに偏った位置に形成されることを特徴とする請求項１乃至７のいずれか一項に記載の電気光学装置。
【請求項９】
請求項１乃至８のいずれか一項に記載の電気光学装置と、該電気光学装置の制御手段とを具備することを特徴とする電子機器。
【発明の詳細な説明】
【技術分野】
【０００１】
本発明は電気光学装置及び電子機器に係り、特に、電気光学パネルを保持して電子機器に搭載するための保持枠を備えた電気光学装置の構造に関する。
【背景技術】
【０００２】
一般に、液晶表示体、有機ＥＬディスプレイ等の電気光学装置は、表示パネルである電気光学パネルと、この電気光学パネルを保持するための保持枠とを有する。保持枠は、電子機器本体に搭載する際に電気光学パネルを取り付けるための取付枠としても機能し、保持枠の本体を構成する枠部本体とは別に電子機器の筐体等に固定するための設置用取付部を備えている。この設置用取付部を備えた保持枠を有する電気光学装置の構造は、例えば、以下の特許文献１に開示されている。また、車載用の電子機器上に電気光学装置を固定した構成としては、以下の特許文献２に開示されたものがある。
【０００３】
図１３は、上述のような電気光学装置の一例を模式的に示す分解斜視図である。この電気光学装置１０は、液晶表示パネル等で構成される電気光学パネル１１と、該電気光学パネル１１を図示下方より支持する支持面１２ａを備えた合成樹脂（例えば白色のポリエチレン樹脂）等よりなる第１枠部材１２と、電気光学パネル１１を図示上方より覆う金属板等よりなる第２枠部材１３とを有する。第２枠部材１３には、電気光学パネル１１の表示領域を露出させる開口を備えた前面枠部１３ａが設けられる。
【０００４】
また、第１枠部材１２の底部には金属板等よりなる第３枠部材１４が嵌合固定され、この第３枠部材１４上には、基板１５上に実装された複数のＬＥＤ等よりなる光源１６と、この光源１６の放射する光を受け入れて図示上方へ出射する導光板１７と、導光板１７の背後に配置される反射シート１８と、導光板１７の前面上に配置される光学シート（光拡散板、集光シートなど）１９とを含む照明体が配置される。
【０００５】
電気光学パネル１１の周縁部には液晶ドライバ等のＩＣチップ２１が実装され、また、これに隣接してフレキシブル基板等よりなる配線基板２２が実装されている。配線基板２２は、例えば、第１枠部材１２の外側に引き出されてその側面上を図示下方に伸び、第１枠部材１２及び上記第３枠部材１４の裏側に折り曲げられた状態とされる。すなわち、配線基板２２は電気光学パネル１１に対する接続部から第１枠部材１２の側面上を経て第１枠部材１２の背面側に回り込むように配置される。なお、ＩＣチップ２１及び配線基板２２の実装部分はシリコーン樹脂等の封止材２３により封止される。
【０００６】
第１枠部材１２の外周側面上には複数の係合突起１２ｂ、１２ｃが形成され、これらの係合突起１２ｂ、１２ｃが第２枠部材１３の外周側面に形成された係合孔１３ｂ、１３ｃに嵌合することで、第１枠部材１２と第２枠部材１３が係合保持されるようになっている。また、第１枠部材１２と第３枠部材１４もまた図示しない係合構造により相互に保持される。
【０００７】
第２枠部材１３の側面部１３ｓの図示下端縁からは、当該側面部１３ｓから屈折して平面方向外側に張り出す態様の設置用取付部１３ｄ、１３ｅが突設されている。これらの設置用取付部１３ｄ、１３ｅは、それぞれ、第２枠部材１３の平面形状の角部（図示例では４つの角部）のそれぞれ近傍に配置される。設置用取付部１３ｄ、１３ｅにはそれぞれ図示しない固定ネジを挿通するための取付孔１３ｄａ、１３ｅａが設けられる。
【特許文献１】特開２００６−２０８５３３号公報
【特許文献２】特開２００４−２３１１０７号公報
【発明の開示】
【発明が解決しようとする課題】
【０００８】
ところで、前述の電気光学装置１０は、複数の設置用取付部１３ｄ、１３ｅを図示しない電子機器の筐体に固定ネジなどを用いて取り付けることにより固定されるが、電気光学装置１０の保持枠の被取付面を構成する複数の設置用取付部１３ｄ、１３ｅの裏面が単一の平面上に構成されていない場合、或いは、これに対応する電子機器の筐体の取付面が単一の平面となっていない場合には、電気光学装置１０を電子機器の筐体に取り付け固定したときに保持枠に歪みが発生して変形し、この変形によって電気光学パネル１１に応力が加わることにより、電気光学パネル１１の表示面に表示ムラ（輝度ムラ、色ムラなど）が発生するという問題点がある。
【０００９】
そこで、本発明は上記問題点を解決するものであり、その課題は、設置用取付部を備えた保持枠の構造を改善することにより、保持枠を設置した際の保持枠の歪みを回避することで、表示ムラの発生を防止することにある。
【課題を解決するための手段】
【００１０】
斯かる実情に鑑み、本発明の電気光学装置は、電気光学パネルと、該電気光学パネルを保持する保持枠とを具備し、該保持枠には該保持枠の少なくとも一つの面の端辺から突出した設置用取付部が設けられ、前記一つの面における前記設置用取付部に隣接する領域と前記一つの面における他の領域との間に、前記一つの面の前記端辺から前記一つの面の内側に向かって切り込みが形成され、前記設置用取付部及び前記設置用取付部に隣接する領域と前記他の領域とが前記切り込みを介して前記設置用取付部の幅方向に分離されていることを特徴とする。
【００１１】
この発明によれば、保持枠において設置用取付部が突出してなる一つの面の端辺からその内側へ向かって切り込みが形成され、この切り込みが設置用取付部及びこれに隣接する領域と、他の領域とを設置用取付部の幅方向に分離することにより、当該切り込みによって設置用取付部に隣接する領域が他の領域に対して変形しやすくなるので、設置用取付部の姿勢変化が他の領域に影響を及ぼしにくくなり、電子機器の筐体等に固定したときに設置用取付部の姿勢が変化しても他の領域に歪みが発生しにくくなるため、電気光学パネルの表示ムラ等を防止できる。
【００１２】
本発明の一の態様においては、前記設置用取付部の幅方向両側に前記切り込みが一対設けられる。これによれば、一対の切り込みを設置用取付部の幅方向両側にそれぞれ形成することで、設置用取付部が一対の切り込みに挟まれた設置用取付部に隣接する領域で支持されることになるので、当該領域の変形がさらに容易になるため、設置用取付部の姿勢変化に起因する他の領域への応力上の影響をさらに確実に低減できる。
【００１３】
本発明の他の態様においては、前記切り込みは、前記端辺から前記設置用取付部の幅方向と交差する方向に伸びる。これによれば、切り込みが設置用取付部から離間する方向に伸びることとなるので、設置用取付部に隣接する領域を広範囲に形成することが可能になり、その結果、当該隣接する領域に局部的な変形が生じにくくなり、当該領域全体が緩やかに変形することにより、取付構造による固定作用と、保持枠の歪みの防止作用とをバランスさせることが可能になる。
【００１４】
この場合に、前記切り込みは、前記交差する方向に伸びた後に前記幅方向内側に屈折若しくは湾曲することが好ましい。これによれば、設置用取付部に隣接する領域と他の領域の分離されている範囲が大きくなるので、隣接する領域をさらに変形しやすく構成できる。特に、一対の切り込みが設置用取付部の幅方向両側にそれぞれ設けられる場合には、一対の切り込みを共に上記態様とすることで、上記隣接する領域の基端部分が狭幅となるので、設置用取付部が大幅に変形しやすくなる。
【００１５】
本発明の異なる態様においては、前記保持枠は一体の板状材で構成され、前記設置用取付部は前記一つの面から屈折して突出する。これによれば、保持枠の厚みを低減しても、その一つの面と設置用取付部の境界部分に形成された屈折部により保持枠の固定強度を確保することができる。この場合、特に保持枠を一体の金属板で構成することが好ましい。
【００１６】
この場合において、前記一つの面と前記設置用取付部の境界部分に補強変形部が設けられることが望ましい。この補強変形部で境界部分を補強することで設置用取付部による取付面に対する固定強度をさらに向上させることができる。ここで、補強変形部とは、上記境界部分を補強するために形成された点状（ドット状）や線状（リブ状）の変形部分を言う。
【００１７】
本発明のより具体的な態様においては、前記一つの面が前記電気光学パネルの厚み方向に伸びる側面であり、前記設置用取付部は前記側面の端辺から屈折して平面方向外側に突出し、前記切り込みは前記端辺から前記側面の内側へ前記厚み方向に伸びる。これによれば、電気光学パネルを平面的に確実に取付固定できるとともに、取付構造の平面精度が悪い場合でも電気光学パネルの表示ムラの発生を防止できる。
【００１８】
本発明において、前記保持枠は複数の角部を有し、前記設置用取付部及び前記切り込みは、前記複数の角部のうちいずれか一つの前記角部寄りに偏った位置に形成されることが好ましい。これによれば、枠部本体のうち剛性の高い角部寄りに偏った位置に設置用取付部及び切り込みが形成されることで、電気光学パネルの取付固定時の剛性をさらに確保しやすくなるとともに、設置用取付部に隣接する切り込みに沿った側面領域の変形が他の領域に影響を及ぼしにくくなるため、取付構造の精度不足による電気光学パネルへの影響をさらに低減できる。
【００１９】
次に、本発明の電子機器は、上記いずれかの電気光学装置と、該電気光学装置の制御手段とを具備する。このような電子機器としては、特に、表示品位を高めることができる点で、電気光学装置を表示体として搭載する各種の表示モニタ、テレビジョン受像機、電子時計、携帯電話機、携帯型情報端末などであることが好ましく、また、振動や加速度を受けても表示品位に影響が少ない点で、電気光学装置を搭載した車載用電子機器、たとえば、自動車用表示モニタ、自動車用テレビジョン受像機、カーナビゲーションシステムなどであることが望ましい。
【発明を実施するための最良の形態】
【００２０】
［第１実施形態］
次に、添付図面を参照して本発明の実施形態について詳細に説明する。図１（ａ）は本発明に係る第１実施形態の電気光学装置の概略分解斜視図、図１（ｂ）は同装置の組立状態を示す概略斜視図、図２は同装置の内部構造の一部を示す部分縦断面図、図３は同装置の平面形状を模式的に示す概略平面図、図４は同装置を電子機器の筐体に固定した様子を模式的に示す概略側面図である。この実施形態において、全体の基本的構成は図１３に示す従来の電気光学装置１０と実質的に同一であるので、同一部分には同一符号を付し、それらの説明は省略する。
【００２１】
本実施形態の電気光学装置１０′では、第１枠部材１２、第２枠部材１３′及び第３枠部材１４よりなる保持枠に電気光学パネル１１が保持されている。特に、図２に示すように、第１枠部材１２の支持面１２ａ上に電気光学パネル１１が保持され（実際には図示しない両面テープなどで接着固定され）、この電気光学パネル１１の視認側の周縁部に合成ゴム等の緩衝材２４を介して第２枠部材１３が当接した状態で、第２枠部材１３の係合部１３ｂ、１３ｃに第１枠部材１２の係合部１２ｂ、１２ｃが係合することで保持され、電気光学パネル１１を第１枠部材１２と第２枠部材１３で挟持した状態とされる。
【００２２】
図１に示す係合部１２ｂ、１２ｃ、１３ｂ、１３ｃは図１３に示すものと若干異なるが、これらの係合構造の構成は適宜に設計可能である。また、図１に示す電気光学装置１０′では第２枠部材１３′上にタッチパネル２６が配置され、このタッチパネル２６を通して、第２枠部材１３′の前面枠部１３ａの内側の開口内に表示される電気光学パネル１１の表示画像が視認可能となっている。タッチパネル２６は特に限定されず、抵抗膜方式や静電容量式などの各種の公知のタッチパネルを用いることができる。タッチパネル２６の周縁部からはフレキシブル配線基板２６ａが引き出され、これが後述する電子機器の制御部に接続される。
【００２３】
本実施形態では、第２枠部材１３′は、上記前面枠部１３ａより屈折して電気光学パネル１１の厚み方向に伸びる側面部１３ｓを有し、該側面部１３ｓに上述の係合部１３ｂ、１３ｃが形成されるとともに、その先端縁１３ｔから屈折して平面方向（図示例では周囲外側）に突出する設置用取付部１３ｄ′、１３ｅ′を備えている。なお、後述するように、図示例とは異なり、設置用取付部１３ｄ′、１３ｅ′を内側に屈折させることで、保持枠の背面側に突出させてもよい。また、同様に図示例とは異なり、設置用取付部１３ｄ′、１３ｅ′を外側、内側のいずれにも屈折させずに、保持枠の背面方向にまっすぐ突出させてもよい。
【００２４】
図３に示すように、設置用取付部１３ｄ′、１３ｅ′はそれぞれ平面視矩形状の第１枠部材１３′の角部近傍において突設される。そして、図４に示す設置状態においては、これらの複数の設置用取付部１３ｄ′、１３ｅ′の裏面（被取付面）を電子機器等の筐体Ｃの取付面Ｃａに当接させた状態で、固定ネジＦが上記取付孔１３ｄａ、１３ｅａに挿通され、取付面Ｃａの図示しないネジ孔に螺入される。これによって、第１枠部材１３′が筐体Ｃに締め付けられるので、電気光学装置１０′は電子機器内において位置決めされた状態で固定される。
【００２５】
設置用取付部１３ｄ′、１３ｅ′はその平面形状を除いて基本的な特徴点は同一であるので、以下、設置用取付部１３ｄ′のみについて詳細に説明し、設置用取付部１３ｅ′については、当該説明中において対応箇所の符号を括弧内に示すにとどめる。
【００２６】
図５（ａ）は設置用取付部１３ｄ′の近傍を示す拡大部分側面図、図５（ｂ）は当該近傍の拡大部分断面図である。枠部本体を構成する側面部１３ｓにおいては、設置用取付部１３ｄ′（１３ｅ′）の幅方向の側縁１３ｄｓ（１３ｅｓ）の基端１３ｄｐ（１３ｅｐ）から厚み方向、すなわち設置用取付部１３ｄ′（１３ｅ′）の幅方向と直交する方向に直線状に伸びる切り込み（スリット）１３ｓｓ（１３ｓｔ）を備えている。図示例の場合、一対の切り込み１３ｓｓ（１３ｓｔ）が設置用取付部１３ｄ′（１３ｅ′）の幅方向両側の側縁１３ｄｓ（１３ｅｓ）からそれぞれ伸びるように設けられる。
【００２７】
また、側面部１３ｓと設置用取付部１３ｄ′（１３ｅ′）との間の屈折部（境界部分）には、第１枠部材１３′の背面側斜め内側から視認側斜め外側へ局部的にポンチ打ち等により打ち出してなる点状（ドット状）の補強変形部１３ｄｊが形成されている。この補強変形部１３ｄｊによって側面部１３ｓと設置用取付部１３ｄ′（１３ｅ′）の屈折部における屈折角の変化を抑制できる。これは、当該屈折角が変化しやすいと、後述するように、設置用取付部１３ｄ′（１３ｅ′）の被取付面と筐体Ｃの取付面Ｃａとの面同士の固定作用、すなわち、この取付構造による電気光学装置１０′の平面姿勢の維持機能が低下してしまうからである。
【００２８】
切り込み１３ｓｓ（１３ｓｔ）は、単なる側面部１３ｓの切断線であってもよいが、切り込み１３ｓｓ（１３ｓｔ）の両側縁部が相互に干渉しないようにして当該切り込みに沿った側面領域の変形が阻害されず、取付構造の精度不足による枠部本体への影響が充分に低減されるようにするためには、上記の両側縁部間に所定の間隙が形成されてなる切り欠き状に形成されることが好ましい。図示例では、切り込みの両側縁部の間隙が側面部１３ｓの厚みと同程度（或いはそれ以上）とされ、これによって上記の干渉が完全に回避される。
【００２９】
上記切り込み１３ｓｓ（１３ｓｔ）を側面部１３ｓに設けることにより、側面部１３ｓは、切り込み１３ｓｓによって隣接領域（設置用取付部に隣接する領域）１３ｓｘと周囲領域（他の領域）１３ｓｙが相互に設置用取付部１３ｄ′（１３ｅ′）の幅方向に分離される。これによって、切り込み１３ｓｓ（１３ｓｔ）に沿った側面部１３ｓの隣接領域１３ｓｘを全体的に緩やかに変形させることができるため、筐体Ｃの取付面Ｃａと設置用取付部１３ｄ′（１３ｅ′）の被取付面が固定されたとき、取付面Ｃａと被取付面の少なくとも一方の平面精度が低下していることによる第１枠部材１３′の枠部本体の姿勢変化を、その保持固定機能を低下させずに低減することができ、その結果、保持枠に歪みが生ずることが回避されるので、電気光学パネル１１の表示ムラを防止できる。
【００３０】
さらに詳しく述べると、たとえば、側面部１３ｓと設置用取付部１３ｄ′（１３ｅ′）の屈折部を弱くして屈折角が容易に変化できるように構成するなど局部的に保持枠の剛性を低下させると取付構造の固定強度自体が大きく低下してしまうが、本実施形態では側面部１３ｓにおいて設置用取付部１３ｄ′（１３ｅ′）の側縁部１３ｄｓ（１３ｅｓ）の基端から厚み方向（設置用取付部の幅方向と直交する方向）に伸びる切り込み１３ｓｓ（１３ｓｔ）を設けることで、局部的な剛性低下を招くことなく、切り込み１３ｓｓ（１３ｓｔ）に沿った側面部１３ｓの隣接領域１３ｓｘを緩やかに変形可能（弾性変形可能）とすることで、取付構造の固定強度の低下を抑制しつつ、取付構造の精度不足に起因する保持枠の歪みを低減することができる。
【００３１】
特に、本実施形態の場合には設置用取付部１３ｄ′（１３ｅ′）の両側縁１３ｄｓ（１３ｅｓ）の基端から一対の切り込み１３ｓｓ（１３ｓｔ）がそれぞれ伸びているので、上記隣接領域１３ｓｘがこれらの一対の切り込みに挟まれた帯状の部分となって全体的により変形しやすくなる。ただし、切り込みは図示左右のいずれか一方のみであっても切り込みに沿った隣接領域１３ｓｘを変形させることが可能であり、程度の差こそあれ上述の作用効果を奏することができる。なお、いずれの場合でも、切り込みに沿った隣接領域１３ｓｘは、厚み方向に沿った撓み変形やねじれ変形によって保持枠の他の部分の歪みを緩和する。
【００３２】
上記切り込み１３ｓｓ（１３ｓｔ）の長さは、側面部１３ｓの高さの２０〜８０％の範囲であることが好ましい。これは、切り込みの長さが短すぎると保持枠の歪みの緩和効果が得られにくくなり、切り込みの長さが長すぎると取付構造による固定機能を妨げることとなり、電気光学装置の固定効果（姿勢の維持効果）が低下するからである。ただし、上記のように一対の切り込みが形成される場合には、切り込みの長さだけでなく、一対の切り込みの間隔によっても変形しやすさを調整することができる。
【００３３】
本実施形態の場合、第２枠部材１３′は平面視矩形状の枠体であり、側面部１３ｓは４つの角部１３ｘを備えている。この角部１３ｘは側面部１３の隣接する二辺が屈折若しくは屈曲することで高い剛性を有するが、特に図示例では、角部１３ｘは、前面枠部１３ａと、側面部１３ｓの隣接する二辺とが交差して絞り加工等により一体化された構成となっているため、切り欠き部１３ｙが下側に隣接して設けられているにも拘わらず、きわめて高い剛性を有する部分となっている。
【００３４】
そして、上記設置用取付部１３ｄ′、１３ｅ′及び切り込み１３ｓｓ、１３ｓｔは側面部１３ｓの各辺において当該角部１３ｘ寄りに偏った位置に形成される。図示例では、設置用取付部１３ｄ′は角部１３ｘに対して側面部１３ｓの高さ以下の距離しか離間しておらず、設置用取付部１３ｅ′は角部１３ｘ側の切り込み１３ｓｔが角部１３ｘに直接隣接し、当該切り込み１３ｓｔは角部１３ｘの下方に形成される切り欠き部１３ｙ自体で構成されている。
【００３５】
上記のように設置用取付部１３ｄ′、１３ｅ′及び切り込み１３ｓｓ、１３ｓｔが剛性の高い角部近傍に配置されることにより、取付構造による電気光学装置１０′の取付固定時の剛性を高めることができると同時に、取付構造の精度不足があっても切り込みに沿った側面領域の変形が枠部本体の他の部分に影響を及ぼしにくくなるので、電気光学パネル１１の表示ムラをさらに確実に防止できる。
本実施の形態では、一対の切り込み１３ｓｓの間隔が、設置用取付部１３ｄ′の幅とほぼ等しい構成としているが、これに限るものではない。例えば、設置用取付部１３ｄ′の幅が、切り込み１３ｓｓの間隔よりも大きく設定しても良いし、小さく設定してもよい。
【００３６】
［第２実施形態］
次に、図６を参照して本発明に係る第２実施形態について説明する。この実施形態においては、図示しない構造については上記第１実施形態と同様に構成できる。また、第１実施形態と同一部分には同一符号を付し、それらの説明は省略する。
【００３７】
本実施形態では、設置用取付部１３ｄ′の全体構成は第１実施形態と同様で、側面部１３ｓから屈折して外側に張り出しているが、一対の切り込み１３ｓｓ′が、設置用取付部１３ｄ′の側縁１３ｄｓの基端１３ｄｐから厚み方向（設置用取付部１３ｄ′の幅方向と直交する方向）に伸びる垂直部１３ｓｓ−１と、この垂直部１３ｓｓ−１の先端より屈折して平面方向（設置用取付部１３ｄ″の幅方向）内側に伸びる水平部１３ｓｓ−２とを有する逆Ｌ字状にそれぞれ構成される。
【００３８】
また、本実施形態では、第２枠部材１３″において側面部１３ｓから設置用取付部１３ｄ′へと伸びる線状（リブ状）の補強変形部１３ｄｋが形成されている。このような線状の補強変形部１３ｄｋを設けることで、その延長方向に沿った領域の当該延長方向の撓みに対する剛性を高めることができるため、第１実施形態のように屈折角の変化に対する剛性を高めるだけでなく、側面部１３ｓや設置用取付部１３ｄ′の平面形状の変形を防止することも可能になる。
【００３９】
上記のように構成すると、水平部１３ｓｓ−２を形成したことで切り込みに沿った隣接領域（図示例では一対の切り込み間に形成される領域）１３ｓｘ′の基端の幅が小さくなることにより周囲領域１３ｓｙ′に対しさらに変形しやすくなるので、側面部１３ｓの高さが不足して切り込みの長さを確保できず、充分な歪み吸収ができない場合や、第２枠部材１３″の素材（金属板）が厚いなど剛性が高すぎる場合などに特に有効である。
【００４０】
なお、本実施形態では切り込み１３ｓｓ′を垂直部１３ｓｓ−１と水平部１３ｓｓ−２を接続させた屈折形状としているが、垂直部１３ｓｓ−１の先端から湾曲させて徐々に水平方向内側に向かうように形成してなる湾曲状の切り込みを形成してもよい。
【００４１】
［他の実施形態］図７は上記各実施形態の変形例を示すもので、設置用取付部１３ｄ′が側面部１３ｓから保持枠１３′の外側ではなく内側に屈折し、保持枠１３′の平面範囲内に収められている構造を示す。また、図８に示す例では、設置用取付部１３ｄ′は側面部１３ｓから屈折せずにそのまま側面部１３ｓの端縁１３ｔより突出するように延長されている。これらの構造でも、上記切り込み１３ｓｓは同様に構成され、設置用取付部１３ｄ′に隣接する隣接領域１３ｓｘと周囲領域１３ｓｙとが切り込み１３ｓｓによって分離される。
【００４２】
図１３に示す例では、側面部１３ｓと設置用取付部１３ｄ′の境界領域が設置用取付部１３ｄ′の幅よりも小さく構成され、図示例の場合、設置用取付部１３ｄ′の幅方向両端からそれぞれ幅方向内側にずれた位置から切り込み１３ｓｓが形成されている。また、図１０に示す例では、一対の切り込み１３ｓｓの切り込み開始位置間の部分が設置用取付部１３ｄ′の幅よりも広く形成される。すなわち、設置用取付部１３ｄ′の幅方向端部から幅方向外側にずれた端縁位置から切り込み１３ｓｓが形成されている。
【００４３】
［電子機器］
最後に、図１１及び図１２を参照して上記各種の電気光学装置を搭載した電子機器の実施形態について説明する。図１１は本発明に係る電子機器の一例の外観を示す概略斜視図である。図示例の電子機器２００は、車載用のカーナビゲーションシステムであり、本体２１０と、この本体２１０に接続された表示部２２０とを備えている。本体２１０には操作ボタン等を配設した操作面２１１が設けられるとともに、ＤＶＤ等の記録媒体の導入口２１２が設けられている。表示部２２０の内部には上記の電気光学装置１０′が格納され、この電気光学装置１０′の表示領域に形成される画像、すなわちナビゲーション画像の表示が表示部２２０の表示画面２２０ａにて視認できるように構成されている。
【００４４】
図１２は電子機器２００における電気光学装置１０に対する制御系（表示制御系）の全体構成を示す概略構成図である。電子機器２００は、表示情報出力源２９１と、表示情報処理回路２９２と、電源回路２９３と、タイミングジェネレータ２９４と、照明体１１０への電力供給を行う光源制御回路２９５とを含む表示制御回路２９０を有する。また、電気光学装置１０′には、上述の構成を有する電気光学パネル１１と、この電気光学パネル１１を駆動する駆動回路１５０と、バックライトである上記の照明体１１０とが設けられている。この駆動回路１５０は、電気光学パネル１１に直接実装されている上記のＩＣチップ２１で構成される。ただし、駆動回路１５０は、上記のような態様の他に、電気光学パネル１１の基板表面上に形成された電子部品や回路パターン、或いは、電気光学パネル１１に導電接続された回路基板に実装されたＩＣチップ若しくは回路パターンなどによっても構成することができる。
【００４５】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００４６】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１５０へ供給する。駆動回路１５０は、走査線駆動回路、信号線駆動回路及び検査回路を含む。また、電源回路２９３は、上述の各構成要素にそれぞれ所定の電圧を供給する。
【００４７】
光源制御回路２９５は、電源回路２９３から供給される電圧に基づいて照明体１１０の光源に電力を供給し、所定の制御信号に基づいて光源の点灯の有無及びその輝度等を制御するようになっている。
【００４８】
また、本発明に係る電子機器としては、図１１に示すカーナビゲーションシステムの他に、液晶テレビ、携帯電話機、電子時計、電子手帳、電卓、ワークステーション、テレビ電話、ＰＯＳ端末機などが挙げられる。そして、これらの各種電子機器の表示部として本発明に係る電気光学装置を用いることができるため、保持枠の歪みが低減されることから、表示ムラを低減した高品位の表示装置を構成することができる。ただし、本発明は保持枠の固定強度の確保と歪みの低減とを両立させる場合に好適な構成を有するので、振動や加減速を受けやすい車載用電子機器に適用する場合に特に有効である。
【００４９】
尚、本発明の電気光学装置及び電子機器は、上述の図示例にのみ限定されるものではなく、本発明の要旨を逸脱しない範囲内において種々変更を加え得ることは勿論である。たとえば、上記各実施形態では保持枠の前面側部分を構成する第２枠部材１３′に設置用取付部を設けたが、第１枠部材１２に外側に露出した部分を設けて設置用取付部を設けてもよく、また、保持枠の背面側部分を構成する第３枠部材１４に設置用取付部を設けてもよい。
【図面の簡単な説明】
【００５０】
【図１】第１実施形態の概略分解斜視図（ａ）及び組立状態を示す概略斜視図（ｂ）。
【図２】第１実施形態の部分縦断面図。
【図３】第１実施形態の概略平面図。
【図４】第１実施形態の設置状態を示す概略側面図。
【図５】第１実施形態の設置用取付部の拡大部分側面図（ａ）及び拡大部分縦断面図（ｂ）。
【図６】第２実施形態の設置用取付部の拡大部分側面図（ａ）及び拡大部分縦断面図（ｂ）。
【図７】変形例の設置用取付部の拡大部分側面図（ａ）及び拡大部分縦断面図（ｂ）。
【図８】別の変形例の設置用取付部の拡大部分側面図（ａ）及び拡大部分縦断面図（ｂ）。
【図９】異なる変形例の設置用取付部近傍の拡大部分斜視図。
【図１０】変形例の設置用取付部近傍の拡大部分斜視図。
【図１１】電子機器の概略斜視図。
【図１２】電子機器の表示制御系を示す概略構成図。
【図１３】従来の電気光学装置の概略分解斜視図。
【符号の説明】
【００５１】
１０′…電気光学装置、１１…電気光学パネル、１２…第１枠部材、１３′、１３″…第２枠部材、１３ｄ′、１３ｅ′…設置用取付部、１３ｄｓ、１３ｅｓ…側縁、１３ｄｊ、１３ｄｋ…補強変形部、１３ｓ…側面部、１３ｓｓ、１３ｓｔ、１３ｓｓ′…切り込み、１３ｓｘ、１３ｓｘ′…隣接領域、１３ｓｙ、１３ｓｙ′…周囲領域、１４…第３枠部材、１５…基板、１６…光源、１７…導光板、１８…反射シート、１９…光学シート、２１…ＩＣチップ、２２…配線基板
【図１】
2009294346.tif 000003
【図２】
2009294346.tif 000004
【図３】
2009294346.tif 000005
【図４】
2009294346.tif 000006
【図５】
2009294346.tif 000007
【図６】
2009294346.tif 000008
【図７】
2009294346.tif 000009
【図８】
2009294346.tif 000010
【図９】
2009294346.tif 000011
【図１０】
2009294346.tif 000012
【図１１】
2009294346.tif 000013
【図１２】
2009294346.tif 000014
【図１３】
2009294346.tif 000015